(57)【特許請求の範囲】
【請求項１】
限定加入者グループ（ＣＳＧ）セルにより引き起こされる干渉を回避するために無線送信／受信ユニット（ＷＴＲＵ）において使用される方法であって、
最も高くランク付けされたセルが不適切なＣＳＧセルであることを検出するステップと、
前記最も高くランク付けされた不適切なＣＳＧセルによって使用される周波数の優先順位を無効にするステップであって、前記不適切なＣＳＧセルをより低い優先順位の周波数に設定するステップを含む、ステップと、
前記ＷＴＲＵが別の周波数または別の無線アクセス技術（ＲＡＴ）の少なくとも１つで別のセルを再選択することを許可するステップと
を含むことを特徴とする方法。
【請求項２】
前記優先順位を無効にするステップは、前記不適切なＣＳＧセルの周波数の優先順位を、ありうる設定済みの優先順位のリストの中で最も低い優先順位の周波数、または同じ無線アクセス技術（ＲＡＴ）内のすべての周波数の中で最も低い周波数の優先順位に設定するステップをさらに含むことを特徴とする請求項１に記載の方法。
【請求項３】
前記不適切なＣＳＧセルによって使用される前記周波数のしきい値の値を変更して、前記ＷＴＲＵが前記不適切なＣＳＧセルの周波数を選択することを防ぐステップ、または前記不適切なＣＳＧセルによって使用される前記周波数のしきい値の前記値を変更して、別の周波数のセルを再選択するよう前記ＷＴＲＵに促すステップをさらに含むことを特徴とする請求項１に記載の方法。
【請求項４】
前記ＣＳＧ不適切なセルの優先順位番号よりも低い優先順位番号Ｎ値を割り当てるステップであって、Ｎは１と等しいかまたはそれよりも大きい整数であるステップをさらに含むことを特徴とする請求項１に記載の方法。
【請求項５】
最も強い信号強度を持つ前記不適切なＣＳＧセルに、最も低い優先順位番号を割り当てるステップをさらに含むことを特徴とする請求項４に記載の方法。
【請求項６】
優先順位の周波数がネットワークによって割り当てられていないことを条件として、暗黙の優先順位を割り当てるステップをさらに含むことを特徴とする請求項１に記載の方法。
【請求項７】
前記暗黙の優先順位割り当ては、前記ＣＳＧセルによって使用される前記周波数に割り当てられた前記優先順位よりも１つ上のレベルであるように構成されることを特徴とする請求項６に記載の方法。
【請求項８】
前記不適切なＣＳＧセルの前記周波数がしきい値を超えることを条件として、前記ＷＴＲＵが他の周波数に測定を行うステップをさらに含むことを特徴とする請求項６に記載の方法。
【請求項９】
前記ＷＴＲＵが、周波数内検索を開始するための通知を前記ＣＳＧセルから受信するステップをさらに含むことを特徴とする請求項１に記載の方法。
【請求項１０】
前記ＷＴＲＵが、前記ＷＴＲＵが周波数を変更するまで伝送電力を増大させることにより周波数内検索を開始するための通知を前記ＣＳＧセルから受信するステップをさらに含むことを特徴とする請求項９に記載の方法。
【請求項１１】
前記ＷＴＲＵが前記ＣＳＧセルから信号を受信するステップであって、前記信号は周波数を変更するよう前記ＷＴＲＵに信号伝達するために「不許可」に設定された周波数内再選択指標（ＩＦＲＩ）ビットを含むステップをさらに含むことを特徴とする請求項１に記載の方法。
【請求項１２】
限定加入者グループセル（ＣＳＧ）により引き起こされる干渉を回避するための無線送信／受信ユニット（ＷＴＲＵ）であって、
最も高くランク付けされたセルが不適切なＣＳＧセルであることを検出するように構成されたプロセッサを備え、
前記プロセッサは、前記最も高くランク付けされた不適切なＣＳＧセルによって使用される周波数の優先順位を無効にするように構成され、前記優先順位を無効にすることは、前記不適切なＣＳＧセルを最も低い優先順位の周波数に設定することを含み、
前記プロセッサは、前記ＷＴＲＵが別の周波数または別の無線アクセス技術（ＲＡＴ）の少なくとも１つで別のセルを再選択することを許可するように構成されることを特徴とするＷＴＲＵ。
【請求項１３】
前記プロセッサは、不適切なＣＳＧセルの周波数の優先順位を、ありうる設定済みの優先順位のリストの中で最も低い優先順位の周波数に設定するか、または不適切なＣＳＧセルの周波数の優先順位を、同じ無線アクセス技術（ＲＡＴ）内のすべての周波数の中で最も低い周波数の優先順位に設定するようにさらに構成されることを特徴とする請求項１２に記載のＷＴＲＵ。
【請求項１４】
前記ＷＴＲＵは、別の周波数またはＲＡＴの１つに周波数内測定を実行して適切なセルを見つけるように構成されることを特徴とする請求項１２に記載のＷＴＲＵ。
【請求項１５】
前記プロセッサは、前記ＷＴＲＵが前記不適切なＣＳＧセルの周波数を選択することを防ぐために、前記不適切なＣＳＧセルによって使用される前記周波数のしきい値の値、または別の周波数のセルを再選択するよう前記ＷＴＲＵに促すために、前記不適切なＣＳＧセルによって使用される前記周波数のしきい値の値のうちの一方の値を変更するようにさらに構成されることを特徴とする請求項１２に記載のＷＴＲＵ。
【発明の詳細な説明】
【技術分野】
【０００１】
本願は、無線通信に関する。
【背景技術】
【０００２】
本出願は、参照により全体を本明細書において援用する、２００９年４月２０日に出願した米国特許仮出願第６１／１７０，９７３号明細書、および２００９年４月２２日に出願した米国特許仮出願第６１／１７１，７２１号明細書の利益を主張するものである。
【０００３】
ホーム高度化ノードＢ（Ｈ（ｅ）ＮＢ）およびホームノードＢ（ＨＮＢ）（まとめてＨＮＢと呼ばれる）は、それぞれ、より高速なユーザエクスペリエンス（ユーザによる使用体験）とさらに豊富なアプリケーション、およびさらに低コストのサービスをめざして、スペクトル効率を高め、待ち時間を短縮し、無線リソースのよりよい利用を提供する取り組みの一環として、ロングタームエボリューション（ＬＴＥ）およびユニバーサル移動通信システム（ＵＭＴＳ）に導入されてきている。ＨＮＢは、家庭または小規模オフィスのような、極めて小さいサービスエリアの範囲で、加入者にネットワークサービスへのアクセスを提供する。加入者（たとえば、個人または組織）は、そのようなサービスが望ましいエリアの範囲でＨＮＢを配備することができる。ＨＮＢ限定加入者グループ（ＣＳＧ）セルは、ＨＮＢによって提供される無線受信可能範囲が、セルのサービスを使用することを許可された加入者のグループによってのみアクセスできる確定済みエリアである。ＨＮＢは、同一キャリア上で、オープン基地局またはマクロ基地局として配備することができる。ＨＮＢは、「混合キャリア配備（ｍｉｘｅｄ  ｃａｒｒｉｅｒ  ｄｅｐｌｏｙｍｅｎｔ）」と呼ぶことができる。ＨＢＮはまた、専用キャリアに配備されてもよい。
【０００４】
オープンセルは、オープンセルが閉じられている場合に、同じ周波数を使用する別のセルへのキャンプ（ｃａｍｐ：滞在、とどまる）を継続することを許可されるかどうかを、隣接する無線送信／受信ユニット（ＷＴＲＵ）に指示する「周波数内再選択指標（ＩＦＲＩ：ｉｎｔｒａ−ｆｒｅｑｕｅｎｃｙ  ｒｅｓｅｌｅｃｔｉｏｎ  ｉｎｄｉｃａｔｏｒ）」を信号伝達する可能性を有することができる。ＷＴＲＵが同じ周波数で隣接セルとの通信を開始するとき、閉じられたセルの過剰な干渉を防ぐために、ＩＦＲＩは「不許可（ｎｏｔ  ａｌｌｏｗｅｄ）」に設定できる。これは、閉じられたセルが最も高くランク付けされているＷＴＲＵを、強制的に別の周波数にキャンプさせる。しかし、ＷＴＲＵは、高密度のＨＮＢ配備において他の周波数への過剰な数の再選択を避けるため、ＣＳＧセルから伝送されるＩＦＲＩに従わなくてもよい。ＷＴＲＵは、そのＷＴＲＵに適切ではないＣＳＧセルにキャンプすることを許可されない（すなわち、ＷＴＲＵはＣＳＧセルのメンバーではない）。
【０００５】
オープン基地局およびＨＮＢの両方に使用される周波数が、ネットワークにより最高優先順位として設定される場合、ＷＴＲＵは、信号強度または信号品質がしきい値を超えている限り、この周波数でセルにキャンプすることができる。したがって、高密度に配備されたＨＮＢのエリアに位置するＷＴＲＵは、信号強度（または信号品質）の観点から最も高くランク付けされたセルがＣＳＧセルであるが、ＷＴＲＵがこのＣＳＧのメンバーではないので、このＣＳＧセルは適していないという状況におかれることもある。しかし、ＷＴＲＵはこのＣＳＧセルからのＩＦＲＩ指標を無視するので、同じ周波数でオープンセルへのキャンプを続行することとなろう。ネットワークと通信を開始する時に、ＣＳＧセルに高い負荷が課せられている場合には、ＷＴＲＵはＣＳＧセルにより多大な干渉を受けやすい。その結果、この場所におけるサービスは、そのＷＴＲＵに対して拒否されることになる。
【発明の概要】
【発明が解決しようとする課題】
【０００６】
１つの提案された解決策では、ＷＴＲＵが、特定の時間の間、ＣＳＧセルからのＩＦＲＩ指標に従うべきであるとしている。ただし、この解決策は、結果として、他の周波数への多大な数のセル再選択をもたらす。もう１つの解決策では、ＷＴＲＵは、ＣＳＧセルに十分に接近している場合に限り、オープンセルへのキャンプを続行することだけを許可されることとする。この提案される解決策において、ＷＴＲＵは、別の周波数での他に使用可能なセルがない場合、サービスを拒否されることになる。これらの問題は、ＷＴＲＵがＨＮＢの高密度な配備を通って移動しているときに、ＣＳＧセルからのＨＮＢ伝送による干渉を回避するための方法を実施することにより対処されうる。
【課題を解決するための手段】
【０００７】
無線送信／受信ユニット（ＷＴＲＵ）が、限定加入者グループ（ＣＳＧ）セルの高密度の配備を通って移動中に、ホームノードＢ、ホーム高度化ノードＢ（ＨｅＮＢ）、または限定加入者グループ‘（ＣＳＧ）セルによってもたらされる送信による干渉を回避するための方法および装置が開示される。
【０００８】
さらに詳細な理解は、添付の図面と併せて例示として示した以下の説明から得ることができる。
【図面の簡単な説明】
【０００９】
【図１】無線通信システムにおけるＨＮＢ配備の一例を示す図である。
【図２】セルブロードキャスト（セル内での一斉同時配信）を受信して限定加入者グループ（ＣＳＧ）セルからの情報を読み取るように構成されたＷＴＲＵのブロック図の一例である。
【図３】セルブロードキャストを受信してＣＳＧセルからの情報を読み取るように構成されたＷＴＲＵのブロック図のもう１つの例である。
【図４】１つの例示的な方法による周波数内測定を示す例示的な流れ図である。
【図５】もう１つの例示的な方法による周波数内測定を示す例示的な流れ図である。
【図６】さらにもう１つの例示的な方法による周波数内測定を示す例示的な流れ図である。
【発明を実施するための形態】
【００１０】
これ以降「無線送信／受信ユニット（ＷＴＲＵ）」という用語が参照される場合、これはユーザ装置（ＵＥ）、移動局、固定または移動加入者ユニット、ページャー（ポケットベル）、携帯電話、携帯情報端末（ＰＤＡ）、コンピュータ、または無線環境において動作することのできる他の任意の種類のデバイスを含むが、これらに限定されることはない。これ以降「基地局」という用語が参照される場合、これはノードＢ、高度化ノードＢ、サイトコントローラ、アクセスポイント（ＡＰ）、または無線環境において動作することのできる他の任意の種類のインターフェイス接続デバイスを含むが、これらに限定されることはない。
【００１１】
ホーム高度化ノードＢ（Ｈ（ｅ）ＮＢ）およびホームノードＢ（ＨＮＢ）（まとめてＨＮＢと呼ばれる）は、無線ローカルエリアネットワーク（ＷＬＡＮ）アクセスポイント（ＡＰ）と同様なものでよい物理デバイスを示す。ＨＮＢは、家庭または小規模オフィスなど、極めて小さいサービスエリアの範囲内で、ロングタームエボリューション（ＬＴＥ）およびユニバーサル移動通信システム（ＵＭＴＳ）サービスのようなサービスへのアクセスをユーザに提供する。ＨＮＢは、たとえば、国内全域の家庭において現在自由に利用することができる公衆インターネット接続（たとえば、デジタル加入者線（ＤＳＬ））を使用することにより、オペレータのコアネットワークに接続することが意図されている。これは特に、ＬＴＥが配備されていないエリア、および／またはレガシー（旧式）第３世代移動体通信システム標準化プロジェクト（３ＧＰＰ）無線アクセス技術（ＲＡＴ）の通信可能範囲が既に存在するエリアにおいて有用となりうる。これはまた、たとえば、地下鉄またはショッピングモールにおける無線伝送の問題の発生などにより、ＬＴＥの通信可能範囲が弱いか、または存在しない可能性のあるエリアにおいても有用になることもある。
【００１２】
図１は、無線通信システム１００におけるＨＮＢ配備の一例を示す。無線通信システム１００は、ＬＴＥオープンセル１０５、３ＧＰＰシステムセル１１０、上位ネットワークノード（たとえば、ゲートウェイ）１１５、および／または移動管理エンティティ（ＭＭＥ）／サービス提供汎用パケット無線システム（ＧＰＲＳ：Ｇｅｎｅｒａｌ  Ｐａｃｋｅｔ  Ｒａｄｉｏ  Ｓｅｒｖｉｃｅ）サポートノード（ＳＧＳＮ）１２０を含む。上位ネットワークノード１１５は、複数のＨＮＢ１２５Ａ、１２５Ｂ、および１２５Ｃの動作を協調させることを担当する。あるいは、ＭＭＥ／ＳＧＳＮ１２０が、複数のＨＮＢ１２５Ａ、１２５Ｂ、および１２５Ｃの動作を協調させることを担当してもよい。ＭＭＥは、３Ｇ／２Ｇ  ＳＧＳＮのＬＴＥ等価物である。ＬＴＥオープンセル１０５および３ＧＰＰシステム１１０との関係（たとえば、ＷＣＤＭＡ／移動体通信用グローバルシステム（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎ））は、これらの２つの技術の通信可能範囲が重なり合うエリアがあってもよいということである。これは、ＧＳＭ（登録商標）とＷＣＤＭＡ技術の同時に存在する通信可能範囲と類似している。上位ネットワークノード１１５は、ＭＭＥ／ＳＧＳＮ１２０とインターフェイスをとるゲートウェイ機能であってもよい。ゲートウェイとして、上位ネットワークノード１１５の役割は、いくつかの小さいホームセルまたは限定加入者グループ（ＣＳＧ）セルをサポートしながら、ＭＭＥ／ＳＧＳＮ１２０に対して単一オープンセルとして機能することがありうる。
【００１３】
本明細書において説明される方法および手順は、ＷＴＲＵにおいて実践されるか、および／または実施されるか、もしくは組み込まれてもよい。図２は、本明細書において開示される実施形態により構成されるＷＴＲＵ２００を示す例示的なブロック図である。通常のＷＴＲＵに見られるコンポーネントに加えて、ＷＴＲＵ２００は、アンテナ２０５、送信機２１０、受信機２１５、プロセッサ２２０、および汎用加入者識別モジュール（ＵＳＩＭ）（またはＬＴＥ等価物）２２５を含む。受信機２１５は、セルＩＤを含むセルからアンテナ２０５を介してブロードキャストを受信するように構成される。プロセッサ２２０は、送信機２１０、受信機２１５、およびＵＳＩＭ（またはＬＴＥ等価物）２２５に電気的に結合される。プロセッサ２２０は、ＷＴＲＵがＣＳＧセルの高密度な配備を通過しているときに、ＣＳＧセルからの干渉を回避するための方法を実行するように構成される。
【００１４】
図３は、本明細書において開示される実施形態により構成されるＷＴＲＵ３１０を示すもう１つの例示的なブロック図である。通常のＷＴＲＵに見られるコンポーネントに加えて、ＷＴＲＵ３１０は、オプションのリンクメモリ３２２を備えるプロセッサ３１６、少なくとも１つのトランシーバ３１４、オプションのバッテリ３２０、およびアンテナ３１８を含む。プロセッサ３１６は、ＷＴＲＵがＣＳＧセルの高密度な配備を通過しているときに、ＣＳＧセルからの干渉を回避するための方法を実行するように構成される。トランシーバ３１４は、プロセッサ３１６およびアンテナ３１８と通信して、無線通信の送信および受信を容易にする。バッテリ３２０は、ＷＴＲＵ３１０において使用される場合、トランシーバ３１４およびプロセッサ３１６に給電する。
【００１５】
ＨＮＢ  ＣＳＧセルは、ＨＮＢによって提供される無線通信可能範囲が、セルのサービスを使用することを許可された加入者のグループによってのみアクセスすることができる確定済みのエリアである。ＣＳＧは、ＨＮＢ  ＣＳＧセルにアクセスを試みる特定の場所の周辺にいる家族または誰であってもよい（たとえば、コーヒーショップにいる誰でも）。ＨＮＢは通常、サービス通信可能範囲が望ましいエリアにわたり１つまたは複数のＣＳＧセルを配備するために使用することができる。ＣＳＧセルは、ＬＴＥ、ＷＣＤＭＡ、またはその他のレガシー３ＧＰＰ  ＲＡＴサービスのようなネットワークサービス用にＨＮＢにより配備されてもよい。加入者は、個人であるか組織であるかには関わりなく、そのようなサービスが望ましいエリアにわたりＨＮＢを使用してＣＳＧセルを配備することができる。
【００１６】
本明細書において開示される実施形態は、限定加入者グループ（ＣＳＧ）セルからの干渉を回避するためのＷＴＲＵで実施される手順を使用することに関する。実施形態は、不適切なＣＳＧセルである最も高くランク付けされたセルのＷＴＲＵ検出中、または最も高くランク付けされたセルが不適切なＣＳＧセルであった間の特定の時間後に採用されてもよい。したがって、ＣＳＧセルからの過剰な干渉を防ぐために、ＷＴＲＵは、以下のアクションのうちの１つまたは組合せを実行することができる。
【００１７】
１つの例示的な実施形態において、ＷＴＲＵは、そのＷＴＲＵがこの周波数が現在最も低い優先順位であると認められるような、不適切なセルである最も高くランク付けされたＣＳＧセルによって使用される周波数の優先順位をオーバーライドする（覆す）ことを検討することができる。この実施形態において、周波数は、ありうる設定済みの優先順位のリストの中で最も低い優先順位の周波数に設定されてもよい。あるいは、ＷＴＲＵは、次に低い優先順位の周波数を、不適切なＣＳＧセルの現在の周波数よりも高い周波数とみなすこともできる。この実施形態において、ＷＴＲＵはまた、不適切なＣＳＧセルの周波数の優先順位を、同じ無線アクセス技術（ＲＡＴ）内のすべての周波数の中で最も低いありうる周波数とみなすこともできる。あるいは、不適切なセルの優先順位は、同じＲＡＴ内の次に低い周波数優先順位の優先順位まで下げられてもよい。この実施形態において、ＷＴＲＵはまた、不適切なセルの現在の周波数を、最も低い優先順位の周波数である（すなわち、８つのネットワークで設定された値よりも低い）とみなすこともできる。
【００１８】
もう１つの例示的な実施形態において、ＷＴＲＵは、他の周波数についての周波数内測定を実行して、適切なセルを見つけることができる。本明細書の説明において、周波数内測定とは、ＷＴＲＵが現在キャンプされている同じＲＡＴの他の周波数での測定を意味してもよい。あるいは、周波数内測定とは、ＷＴＲＵが現在キャンプされているＲＡＴとは異なるＲＡＴを含む任意のＲＡＴの他の周波数での測定を意味してもよい。
【００１９】
１つの例示的な実施形態において、ＷＴＲＵは、そのＷＴＲＵが不適切なＣＳＧセルに留まる基準を満たす可能性を低くするように、不適切なＣＳＧセルによって使用される周波数のしきい値Ｔｈｒｅｓx,highの値を変更する（たとえば、増大させる）ことができる。
【００２０】
もう１つの例示的な実施形態において、ＷＴＲＵは、そのＷＴＲＵが別の周波数またはＲＡＴのセルを再選択する可能性を高くするように、不適切なＣＳＧセルによって使用される周波数のしきい値Ｔｈｒｅｓx,lowの値を変更する（たとえば、増大させる）ことができる。
【００２１】
もう１つの例示的な実施形態において、ＷＴＲＵは、そのＷＴＲＵが不適切なＣＳＧセルの周波数の代わりに、異なる周波数またはＲＡＴ（たとえば、変更済みのしきい値に対応する周波数またはＲＡＴ）に向けた再選択を実行する可能性を高くするように、他の周波数またはＲＡＴのしきい値Ｔｈｒｅｓx,highおよび／またはＴｈｒｅｓx,lowの値を変更する（たとえば、減少させる）ことができる。
【００２２】
もう１つの例示的な実施形態において、ＷＴＲＵは、不適切なＣＳＧセルが動作している周波数を一時的に閉じる前に、別の周波数で適切なセルを見つけるための周波数内測定を行う、図４に示される方法４００を採用することができる。「周波数を閉じる」という用語は、ＷＴＲＵが閉じられた周波数のいずれのセルにもキャンプすることを許可されていない状況を示す。
【００２３】
ＷＴＲＵは最初に、最も高くランク付けされたセルが不適切なセルであるかどうか決定する（４０５）。最も高くランク付けされたセルが不適切なセルである場合、ＷＴＲＵは、タイマーＴｆを開始し（４０７）、適切なセルを見つけるために他の周波数についての周波数内測定を実行する（４０９）。それ以外の場合、ＷＴＲＵは、最も高くランク付けされたセルにキャンプする（４１０）。
【００２４】
ＷＴＲＵが別の周波数についての適切なセルを見つける場合（４１１）、ＷＴＲＵはタイマーＴｆを停止させてもよい（４１３）。ＷＴＲＵはまた、不適切なＣＳＧセルが動作している周波数を一時的に閉じることができ（４１５）、（他の周波数で）見つけられた適切なセルにキャンプすることができ（４１７）、タイマーＴｂを開始することができる（４１９）。ＷＴＲＵは、Ｔｂが稼動している間、閉じられた周波数についての周波数内測定を実行しなくてよい。
【００２５】
ＷＴＲＵが適切なセルを見つけることができず（４１１）、タイマーＴｆが満了する（４２５）場合、ＷＴＲＵは、（他の条件により別段の保証がなければ）周波数内測定を行うことを停止する（４２７）。ＷＴＲＵは、不適切なＣＳＧセルの周波数へのキャンプを続行することができ（４２９）、タイマーＴｆを開始することができる（４３１）。タイマーＴｆが満了していない場合（４２５）、周波数内測定を続行する（４０９）。タイマーＴｒが満了している場合（４３３）、ＷＴＲＵは方法４００を再開することができる。
【００２６】
タイマーＴｂが満了する場合（４４０）、ＷＴＲＵは、不適切なＣＳＧセルが動作している周波数の閉じを外すことができる（４４２）。次いで、ＷＴＲＵはその周波数に戻って、ＣＳＧセルが現在適切であるかどうか決定する（４４４）。ＣＳＧセルが適切であると決定される場合、ＷＴＲＵは、最も高くランク付けされたＣＳＧセルにキャンプすることができる（４４６）。周波数の最も高くランク付けされたセルが依然として不適切なＣＳＧセルである場合、ＷＴＲＵは、他の周波数での適切なセルへのキャンプを続行し（４１７）、タイマーＴｂを再開することができる（４１９）。
【００２７】
もう１つの例示的な実施形態において、ＷＴＲＵが特定の時間内に適切なセルまたは周波数を見つけることができない場合、ＷＴＲＵは、不適切なＣＳＧセルが動作している周波数の閉じ（すなわち、制約）を外すための、図５に示される方法５００を採用することができる。ＷＴＲＵは最初に、最も高くランク付けされたセルが不適切なセルであるかどうか決定する（５０５）。最も高くランク付けされたセルが不適切なセルである場合、ＷＴＲＵは、不適切なセルが動作している周波数を閉じ（５１５）、タイマーＴｎｆを開始する（５１７）。それ以外の場合、ＷＴＲＵは、最も高くランク付けされたセルにキャンプする（５１０）。
【００２８】
ＷＴＲＵは、適切なセルを見つけるために、他の周波数についての周波数内測定を実行する（５１９）。ＷＴＲＵが別の周波数またはＲＡＴで適切なセルを見つけることができない場合（５２１）、ＷＴＲＵはタイマーＴｎｆが満了しているかどうか決定する（５２３）。タイマーＴｎｆが満了している場合、ＷＴＲＵは、不適切なＣＳＧセルが動作している周波数の閉じを外し（５２５）、その周波数で最も適切なセルにキャンプする（５２７）。ＷＴＲＵはまた、タイマーＴｒを開始することができる（５２９）。タイマーＴｒが満了している場合（５３０）、ＷＴＲＵは方法５００を再開することができる。
【００２９】
ＷＴＲＵが別の周波数またはＲＡＴでの適切なセルを見つけた場合、ＷＴＲＵはタイマーＴｎｆを停止させて（５３５）、その適切なセルにキャンプして（５３７）、タイマーＴｂを開始する（５３９）。タイマーＴｂが満了する場合（５４１）、ＷＴＲＵは、不適切なＣＳＧセルが動作している周波数の閉じを外すことができる（５４３）。次いで、ＷＴＲＵはその周波数に戻って、ＣＳＧセルが現在適切であるかどうか決定する（５４５）。ＣＳＧセルが適切であると決定される場合、ＷＴＲＵは、最も高くランク付けされたＣＳＧセルにキャンプすることができる（５４７）。周波数の最も高くランク付けされたセルが依然として不適切なＣＳＧセルである場合、ＷＴＲＵは、他の周波数での適切なセルに留まり（５３７）、タイマーＴｂを再開することができる（５３９）。
【００３０】
さらなる例示のアクションにおいて、ＷＴＲＵが特定の時間内に適切なセルまたは周波数を見つけることができない場合、ＷＴＲＵは、不適切なＣＳＧセルが動作している周波数の閉じを外すための、図６に示される方法６００を採用することができる。ＷＴＲＵは最初に、最も高くランク付けされたセルが不適切なセルであるかどうか決定する（６０５）。最も高くランク付けされたセルが不適切なセルである場合、ＷＴＲＵは、不適切なセルが動作している周波数を閉じ（６１５）、タイマーＴｎｆおよびＴｂを開始する（６１７）（６１９）。それ以外の場合、ＷＴＲＵは、最も高くランク付けされたセルにキャンプする（６１０）。
【００３１】
ＷＴＲＵは、適切なセルを見つけるために、他の周波数についての周波数内測定を実行する（６２１）。ＷＴＲＵが別の周波数またはＲＡＴでの適切なセルを見つけることができない場合（６２３）、ＷＴＲＵはタイマーＴｎｆが満了しているかどうか決定する（６２５）。タイマーＴｎｆが満了している場合、ＷＴＲＵは、タイマーＴｂを停止させ（６２７）、不適切なＣＳＧセルが動作している周波数の閉じを外し（６２９）、その周波数で最も適切なセルにキャンプする（６３１）。ＷＴＲＵはまた、タイマーＴｒを開始することができる（６３３）。タイマーＴｒが満了している場合（６３５）、ＷＴＲＵは方法６００を再開することができる。それ以外の場合、ＷＴＲＵはタイマーＴｂが満了するまで繰り返す。
【００３２】
ＷＴＲＵが別の周波数またはＲＡＴで適切なセルが見つかったことを認識する場合、ＷＴＲＵはタイマーＴｎｆを停止させて（６３７）、そのセルにキャンプする（６３９）。タイマーＴｂが満了する場合（６４１）、ＷＴＲＵは、不適切なＣＳＧセルが動作している周波数の閉じを外すことができる（６４３）。次いで、ＷＴＲＵはその周波数に戻って、ＣＳＧセルが現在適切であるかどうか決定する（６４５）。ＣＳＧセルが適切であると決定される場合、ＷＴＲＵは、最も高くランク付けされたＣＳＧセルにキャンプすることができる（６４７）。周波数の最も高くランク付けされたセルが依然として不適切なＣＳＧセルである場合、ＷＴＲＵは、タイマーＴｂを再開し（６５０）、他の周波数での適切なセルへのキャンプを続行する（６３９）。
【００３３】
本明細書において説明される優先順位オーバーライドは、すべてのありうるネットワークの設定済みの値よりも低い値での、または現在の優先順位番号よりも低いＮの値での、任意の優先順位番号を割り当てることを含み、Ｎは１と等しいかまたはそれよりも大きい整数である。複数の周波数が優先順位オーバーライドによって影響を受ける場合、ＷＴＲＵは異なる優先順位値を異なる周波数に割り当てることができる。ＷＴＲＵは、基準の１つまたは組合せに従って優先順位値を割り当てることができる。１つの例示の基準は、不適切なＣＳＧセルからの信号強度が、最強の周波数が、最も低い優先順位を取得してもよい。もう１つの例示の基準は、最適なセルからの信号強度が最も強い周波数が最高の優先順位を取得することであってもよい。さらにもう１つの例示の基準は、不適切なセルと最適なセルとの間の信号強度差が最も大きい周波数が、最も低い優先順位を取得することであってもよい。さらにもう１つの例示の基準は、不適切なＣＳＧセルが周波数内再選択指標（ＩＦＲＩ）を「不許可」に設定している周波数が、不適切なＣＳＧセルがＩＦＲＩを「許可」に設定してある周波数よりも、低い優先順位を有することであってもよい。さらなる例示の基準は、ＷＴＲＵが、現在の優先順位番号に続く次に低い優先順位番号で優先順位を入れ替えることであってもよい。
【００３４】
リリース８（Ｒｅｌｅａｓｅ  ８）の絶対優先順位ベースのセル再選択手順は、優先順位が割り当てられている周波数のセルしか考慮しない。最も高くランク付けされたセルが不適切なＣＳＧセルである場合、この条件は、ＷＴＲＵが他の周波数（たとえ優先順位を割り当てられていない周波数であったとしても）を選択することを許可するように引き上げてもよい。ＷＴＲＵは、規則の１つまたは組合せに基づいてそれらの周波数に暗黙の（ｉｍｐｌｉｃｉｔ）優先順位を割り当てることができる。１つの例示的な規則において、ＷＴＲＵは、ＣＳＧセルによって使用された周波数に割り当てられた優先順位よりも１つ上のレベルを優先順位として割り当てることができる。もう１つの例示的な規則において、他の周波数が１つしか存在しない場合、ＷＴＲＵは、最高の優先順位をこの周波数に割り当てることができる。さらにもう１つの例示的な規則において、他の周波数が２つ以上存在し、それらの一部が既に優先順位を割り当てられている場合、ＷＴＲＵは、それらの周波数の最も低い優先順位と等しい優先順位を割り当てることができる。
【００３５】
絶対優先順位または暗黙の優先順位の変更は、たとえばＷＴＲＵが最高の優先順位の周波数およびＲＡＴに接続されている場合であっても、またたとえ現在の周波数のセルの品質が測定開始するようＷＴＲＵをトリガーするしきい値を超えている場合であっても、ＷＴＲＵが他の周波数またはＲＡＴに測定を行えるようにすることができる。現在の優先順位よりも低い優先順位を持つすべての周波数およびＲＡＴの周波数内測定により、ＷＴＲＵが適切な周波数または許容可能なチャネル条件を持つセルを見つけられない場合、ＷＴＲＵは、現在の周波数およびセルに引き続き接続されてもよい。
【００３６】
本明細書において説明されるアクションは、追加の条件の１つまたは組合せによってトリガーされてもよい。１つの例示の条件は、現在の周波数の最適なセルからの受信信号強度および／または受信信号品質がしきい値（閾値）よりも低いか、または特定の時間の間、しきい値を下回っていたことであってもよい。もう１つの例示の条件は、最適なセルからの測定されたパス損失（経路損失）がしきい値よりも高いか、または特定の時間の間、しきい値を上回っていたことであってもよい。さらにもう１つの例示の条件は、不適切なＣＳＧセルからの受信信号強度および／または受信信号品質がしきい値よりも高いか、または特定の時間の間、しきい値を上回っていたことであってもよい。さらにもう１つの例示の条件は、不適切なＣＳＧセルからの測定されたパス損失がしきい値よりも低いか、または特定の時間の間、しきい値を下回っていたことであってもよい。さらなる例示の条件は、不適切なＣＳＧセルからの受信信号強度と最適なセルからの受信信号強度との間の差が、しきい値よりも高いかまたは低いか、もしくは特定の時間の間、しきい値を上回っていたかまたは下回っていたことであってもよい。さらにもう１つの例示の条件は、不適切なＣＳＧセルがＩＦＲＩを「不許可」に設定してあると、ＷＴＲＵがデコード（解読）したことであってもよい。さらにもう１つの例示の条件は、専用の優先順位がＷＴＲＵに割り当てられていないことであってもよい。
【００３７】
上記の条件の大多数は、ＷＴＲＵの観点から（たとえば、ＷＴＲＵにおいて測定されたダウンリンク（ＤＬ）干渉が高いとき、または適切なセルからの受信信号の品質が低いとき）周波数内セルの検索をトリガーすることができる。場合によっては、ＷＴＲＵにおける状態が、許容可能であっても、そのアップリンク（ＵＬ）伝送が、不適切なＣＳＧセルに対して干渉を生じることがある。そのような場合、ＣＳＧセルは、周波数内検索を開始するようにＷＴＲＵに通知するメカニズム（機構）からの恩恵を受けることができる。ＣＳＧセルは、伝送電力の増大を開始することにより、ＷＴＲＵに対する干渉を増大しうる。増大した干渉により、ＷＴＲＵに周波数内検索を実行させるようにトリガーさせもよい。増大の量は、ＨＮＢにおいて認識された干渉に関連させてもよい。この伝送電力の増大は、設定可能な時間の間、持続してもよい。オプション（随意）で、ＨＮＢは、ＷＴＲＵが周波数を変更するまで、この電力を（ほぼ最大まで）引き続き増大させてもよい。代替として、ＣＳＧセルがアップリンク品質を監視するようにして、高いアップリンク干渉が認められ他場合には、ＩＦＲＩビットを「不許可」に設定してもよい。ＷＴＲＵは、ＣＳＧセルに対する後続のセル再選択試行において、引き続き自律的にセル検索を実行することができるとして、周波数を変更する必要があると決定することができる。
【００３８】
優先順位オーバーライドまたは暗黙の優先順位および測定は、イベントの１つまたは組合せが発生するまで効力を保つことができる。１つの例示のイベントは、効力を生じた優先順位オーバーライドが満了する時点において開始したタイマーであってもよい。タイマーは、事前定義されるか、または上位レイヤによって信号伝達されてもよい。タイマーは、ロングタームＬＴＥにおけるＴ３２０またはＵＭＴＳにおけるＴ３２２のような、既存のタイマー値であってもよい。もう１つの例示のイベントは、不適切なＣＳＧセルがもはや最も高くランク付けされていないか、または不適切なＣＳＧセルがもはや最も高くランク付けされていない時点において開始したタイマーが満了することであってもよい。さらにもう１つの例示のイベントは、適切なセル（ＣＳＧまたはオープン）が最も高くランク付けされ、または適切なセルが最も高くランク付けされた時点において開始したタイマーが満了することであってもよい。もう１つの例示のイベントは、追加の条件が偽（false）となるか、または追加の条件が偽（false）となった時点において開始したタイマーが満了することであってもよい。さらにもう１つの例示の条件は、ＷＴＲＵがＲＲＣ＿ＣＯＮＮＥＣＴＥＤ状態に入ることであってもよい。なおさらなる例示のイベントは、公衆陸上移動網（ＰＬＭＮ）の選択が非アクセス層（ＮＡＳ）による要求に応じて実行されることであってもよい。さらなる例示のイベントは、手動ＣＳＧ選択がＮＡＳの要求により実行されることであってもよい。さらにもう１つの例示のイベントは、当該のＣＳＧセルが、たとえば手動ＣＳＧ選択に従って、適切となることであってもよい。さらなる例示のイベントは、ＷＴＲＵが別の周波数の適切なセルに再選択した時点において開始したタイマーが満了したことであってもよい。なおさらなる１つの例示のイベントは、専用の優先順位の新しいセットがネットワークにより受信されることであってもよい。さらなる例示のイベントは、Ｔ３２０またはＴ３２２のような専用の優先順位タイマーが満了することであってもよい。
【００３９】
周波数優先順位の上記のオーバーライドは、ＷＴＲＵの回線交換／パケット交換（ＣＳ／ＰＳ）の動作モードに起因する周波数優先順位の任意のオーバーライドに優先することができる。上記の条件が真（ｔｒｕｅ）になると直ちに、ＷＴＲＵは以前の優先順位に戻ることができる。あるいは、ＷＴＲＵは、優先順位をクリアして、再び優先順位を獲得することができるとしてよい。あるいは、ＷＴＲＵは、Ｔ３２２タイマーが満了しているかのように振舞って、Ｔ３２２タイマーの満了に関連付けられている現在のアクションを行える。
【００４０】
実施形態
１．  限定加入者グループセル（ＣＳＧ）により引き起こされる干渉を無線送信／受信ユニット（ＷＴＲＵ）が回避するための方法であって、
最も高くランク付けされたセルが不適切なＣＳＧセルであることを検出するステップを含むことを特徴とする方法。
【００４１】
２．  最も高くランク付けされた不適切なＣＳＧセルによって使用される周波数の優先順位をオーバーライドするステップをさらに含むことを特徴とする実施形態１に記載の方法。
【００４２】
３．  ＷＴＲＵが別の周波数または無線アクセス技術（ＲＡＴ）の少なくとも１つで別のセルを再選択することを許可するステップをさらに含むことを特徴とする実施形態１または２に記載の方法。
【００４３】
４．  オーバーライドするステップは、不適切なＣＳＧセルの周波数をより低い優先順位の周波数に設定するステップをさらに含むことを特徴とする実施形態１から３のいずれか一項に記載の方法。
【００４４】
５．  オーバーライドするステップは、不適切なＣＳＧセルの周波数の優先順位を、ありうる設定済みの優先順位のリストの中で最も低い優先順位の周波数に設定するステップをさらに含むことを特徴とする実施形態１から４のいずれか一項に記載の方法。
【００４５】
６．  オーバーライドするステップは、不適切なＣＳＧセルの周波数の優先順位を、同じ無線アクセス技術（ＲＡＴ）内のすべての周波数の中で最も低い周波数の優先順位に設定するステップをさらに含むことを特徴とする実施形態１から５のいずれか一項に記載の方法。
【００４６】
７．  許可するステップは、別の周波数またはＲＡＴの１つに周波数内測定を実行して適切なセルを見つけるステップをさらに含むことを特徴とする実施形態１から６のいずれか一項に記載の方法。
【００４７】
８．  不適切なＣＳＧセルによって使用される周波数のしきい値の値を変更して、ＷＴＲＵが不適切なＣＳＧセルの周波数を選択することを防ぐステップをさらに含むことを特徴とする実施形態１から７のいずれか一項に記載の方法。
【００４８】
９．  別の周波数のセルを再選択するようＷＴＲＵに促すために、不適切なＣＳＧセルによって使用される周波数のしきい値の値を変更するステップをさらに含むことを特徴とする実施形態１から８のいずれか一項に記載の方法。
【００４９】
１０．  ＣＳＧ不適切なセルの優先順位番号よりも低い優先順位番号Ｎ値を割り当てるステップであって、Ｎは１と等しいかまたはそれよりも大きい整数であるステップをさらに含むことを特徴とする実施形態１から９のいずれか一項に記載の方法。
【００５０】
１１．  最も強い信号強度を持つ不適切なＣＳＧセルに最も低い優先順位番号を割り当てるステップをさらに含むことを特徴とする実施形態１から１０のいずれか一項に記載の方法。
【００５１】
１２．  優先順位の周波数がネットワークによって割り当てられていない場合、暗黙の優先順位を割り当てるステップをさらに含むことを特徴とする実施形態１から１１のいずれか一項に記載の方法。
【００５２】
１３．  暗黙の優先順位割り当ては、ＣＳＧセルによって使用された周波数に割り当てられた優先順位よりも１つ上のレベルであるように構成されることを特徴とする実施形態１から１２のいずれか一項に記載の方法。
【００５３】
１４．  不適切なＣＳＧセルの周波数がしきい値を超える場合、ＷＴＲＵは他の周波数に測定を行うことを特徴とする実施形態１から１３のいずれか一項に記載の方法。
【００５４】
１５．  ＷＴＲＵは、周波数内検索を開始するようＣＳＧセルによって通知されることを特徴とする実施形態１から１４のいずれか一項に記載の方法。
【００５５】
１６．  ＣＳＧセルは、ＷＴＲＵが周波数を変更するまで伝送電力を増大させることにより周波数内検索を開始するようＷＴＲＵに通知することを特徴とする実施形態１から１５のいずれか一項に記載の方法。
【００５６】
１７．  ＣＳＧセルは、周波数を変更するようＷＴＲＵに信号伝達するため、周波数内再選択指標（ＩＦＲＩ）ビットを「不許可」に設定することを特徴とする実施形態１から１６のいずれか一項に記載の方法。
【００５７】
１８．  限定加入者グループセル（ＣＳＧ）により無線送信／受信ユニット（ＷＴＲＵ）に対し引き起こされる干渉を回避するための方法であって、
最も高くランク付けされたセルが不適切なＣＳＧセルであることを検出するステップを含むことを特徴とする方法。
【００５８】
１９．  第１のあらかじめ定められた時間の間、別の周波数または無線アクセス技術（ＲＡＴ）の適切なセルを見つけるために周波数内測定を開始するステップをさらに含むことを特徴とする実施形態１８に記載の方法。
【００５９】
２０．  別の周波数で適切なセルが見つけられたことを条件として、不適切なＣＳＧセルの周波数を一時的に閉じるステップをさらに含むことを特徴とする実施形態１８または１９に記載の方法。
【００６０】
２１．  適切なセルが見つけられたことを条件として、第２のあらかじめ定められた時間の間、適切なセルにキャンプするステップをさらに含むことを特徴とする実施形態１８から２０のいずれか一項に記載の方法。
【００６１】
２２．  最も高くランク付けされたセルの利用可能性を決定するために、第２のあらかじめ定められた時間が満了すると直ちに不適切なＣＳＧセルの周波数の閉じを外すステップをさらに含むことを特徴とする実施形態１８から２１のいずれか一項に記載の方法。
【００６２】
２３．  第１のあらかじめ定められた時間が満了すると直ちに不適切なＣＳＧセルの周波数にキャンプするステップをさらに含むことを特徴とする実施形態１８から２２のいずれか一項に記載の方法。
【００６３】
２４．  第３のあらかじめ定められた時間の満了後に、最も高くランク付けされたセルの利用可能性を検出するステップをさらに含むことを特徴とする実施形態１８から２３のいずれか一項に記載の方法。
【００６４】
２５．  限定加入者グループセル（ＣＳＧ）により無線送信／受信ユニット（ＷＴＲＵ）に対し引き起こされる干渉を回避するための方法であって、
最も高くランク付けされたセルが不適切なＣＳＧセルであるかどうかを検出するステップを含むことを特徴とする方法。
【００６５】
２６．  不適切なＣＳＧセルの周波数を閉じるステップをさらに含むことを特徴とする実施形態２５に記載の方法。
【００６６】
２７．  第１のあらかじめ定められた時間の間、別の周波数または無線アクセス技術（ＲＡＴ）の適切なセルを見つけるために周波数内測定を開始するステップをさらに含むことを特徴とする実施形態２５または２６に記載の方法。
【００６７】
２８．  第１のあらかじめ定められた時間が満了して別の周波数で適切なセルを見つけることができなければ直ちに、不適切なＣＳＧセルの周波数の閉じを外すステップをさらに含むことを特徴とする実施形態２５から２７のいずれか一項に記載の方法。
【００６８】
２９．  限定加入者グループセル（ＣＳＧ）により引き起こされる干渉を回避するための無線送信／受信ユニット（ＷＴＲＵ）であって、
最も高くランク付けされたセルが不適切なＣＳＧセルであることを検出するように構成されたプロセッサを備えることを特徴とするＷＴＲＵ。
【００６９】
３０．  最も高くランク付けされた不適切なＣＳＧセルによって使用される周波数の優先順位をオーバーライドするように構成されたプロセッサをさらに備えることを特徴とする実施形態２９に記載のＷＴＲＵ。
【００７０】
３１．  ＷＴＲＵが別の周波数または無線アクセス技術（ＲＡＴ）の少なくとも１つで別のセルを再選択することを許可するように構成されたプロセッサをさらに備えることを特徴とする実施形態２９または３０に記載のＷＴＲＵ。
【００７１】
３２．  プロセッサは、不適切なＣＳＧセルの周波数を、より低い優先順位の周波数に設定、不適切なＣＳＧセルの周波数の優先順位を、ありうる設定済みの優先順位のリストの中で最も低い優先順位の周波数に設定、または不適切なＣＳＧセルの周波数の優先順位を、同じ無線アクセス技術（ＲＡＴ）内のすべての周波数の中で最も低い周波数の優先順位に設定、のうちの１つの設定をするようにさらに構成されることを特徴とする実施形態２９から３１のいずれか一項に記載のＷＴＲＵ。
【００７２】
３３．  ＷＴＲＵは、別の周波数またはＲＡＴの１つに周波数内測定を実行して適切なセルを見つけるように構成されることを特徴とする実施形態２９から３２のいずれか一項に記載のＷＴＲＵ。
【００７３】
３４．  プロセッサは、ＷＴＲＵが不適切なＣＳＧセルの周波数を選択することを防ぐために、不適切なＣＳＧセルによって使用される周波数のしきい値の値、または別の周波数のセルを再選択するようＷＴＲＵに促すために、不適切なＣＳＧセルによって使用される周波数のしきい値のうちの一方を変更するように構成されることを特徴とする実施形態２９から３３のいずれか一項に記載のＷＴＲＵ。
【００７４】
３５．  限定加入者グループセル（ＣＳＧ）により引き起こされる干渉を回避するための無線送信／受信ユニット（ＷＴＲＵ）であって、
最も高くランク付けされたセルが不適切なＣＳＧセルであることを検出するように構成されたプロセッサを備えることを特徴とするＷＴＲＵ。
【００７５】
３６．  第１のあらかじめ定められた時間の間、別の周波数または無線アクセス技術（ＲＡＴ）の適切なセルを見つけるために周波数内測定を開始するように構成されたプロセッサをさらに備えることを特徴とする実施形態３５に記載のＷＴＲＵ。
【００７６】
３７．  別の周波数で適切なセルが見つけられたことを条件として、不適切なＣＳＧセルの周波数を一時的に閉じるように構成されたプロセッサをさらに備えることを特徴とする実施形態３５または３６に記載のＷＴＲＵ。
【００７７】
３８．  適切なセルが見つけられたことを条件として、第２のあらかじめ定められた時間の間、適切なセルにキャンプするよう構成されたＷＴＲＵをさらに備えることを特徴とする実施形態３５から３７のいずれか一項に記載のＷＴＲＵ。
【００７８】
３９．  最も高くランク付けされたセルの利用可能性を決定するために、第２のあらかじめ定められた時間が満了すると直ちに不適切なＣＳＧセルの周波数の閉じを外すように構成されたプロセッサをさらに備えることを特徴とする実施形態３５から３８のいずれか一項に記載のＷＴＲＵ。
【００７９】
４０．  第１のあらかじめ定められた時間が満了すると直ちに不適切なＣＳＧセルの周波数にキャンプするように構成されたＷＴＲＵをさらに備えることを特徴とする実施形態３５から３９のいずれか一項に記載のＷＴＲＵ。
【００８０】
４１．  第３のあらかじめ定められた時間の満了後に、最も高くランク付けされたセルの利用可能性を検出するように構成されたプロセッサをさらに備えることを特徴とする実施形態３５から４０のいずれか一項に記載のＷＴＲＵ。
【００８１】
４２．  限定加入者グループセル（ＣＳＧ）により引き起こされる干渉を回避するための無線送信／受信ユニット（ＷＴＲＵ）であって、
最も高くランク付けされたセルが不適切なＣＳＧセルであるかどうかを検出するように構成されたプロセッサを備えることを特徴とするＷＴＲＵ。
【００８２】
４３．  不適切なＣＳＧセルの周波数を閉じるように構成されたプロセッサをさらに備えることを特徴とする実施形態４２に記載のＷＴＲＵ。
【００８３】
４４．  第１のあらかじめ定められた時間の間、別の周波数または無線アクセス技術（ＲＡＴ）の適切なセルを見つけるために周波数内測定を開始するように構成されたプロセッサをさらに備えることを特徴とする実施形態４２または４３に記載のＷＴＲＵ。
【００８４】
４５．  第１のあらかじめ定められた時間が満了して別の周波数で適切なセルを見つけることができなければ直ちに、不適切なＣＳＧセルの周波数の閉じを外すように構成されたプロセッサをさらに備えることを特徴とする実施形態４２から４４のいずれか一項に記載のＷＴＲＵ。
【００８５】
４６．  限定加入者グループセル（ＣＳＧ）により無線送信／受信ユニット（ＷＴＲＵ）に対し引き起こされる干渉を回避するための方法であって、
最も高くランク付けされたセルが不適切なＣＳＧセルであるかどうかを検出するステップを含むことを特徴とする方法。
【００８６】
４７．  最も高くランク付けされた不適切なＣＳＧセルによって使用される周波数の優先順位をオーバーライドするステップをさらに含むことを特徴とする実施形態４６に記載の方法。
【００８７】
４８．  不適切なＣＳＧセルの周波数をより低い優先順位の周波数に設定するステップをさらに含むことを特徴とする実施形態４６または４７に記載の方法。
【００８８】
４９．  ＷＴＲＵが別の周波数で別のセルを再選択することを許可するステップをさらに含むことを特徴とする実施形態４６から４８のいずれか一項に記載の方法。
【００８９】
５０．  不適切なＣＳＧセルの周波数の優先順位は、ありうる設定済みの優先順位のリストの中で最も低い優先順位の周波数に設定されることを特徴とする実施形態４６から４９のいずれか一項に記載の方法。
【００９０】
５１．  不適切なＣＳＧセルの周波数の優先順位は、同じ無線アクセス技術（ＲＡＴ）内のすべての周波数の中で最も低い周波数の優先順位に設定されることを特徴とする実施形態４６から５０のいずれか一項に記載の方法。
【００９１】
５２．  適切なセルを見つけるために他の周波数に周波数内測定を実行するＷＴＲＵをさらに備えることを特徴とする実施形態４６から５１のいずれか一項に記載の方法。
【００９２】
５３．  不適切なＣＳＧセルによって使用される周波数のしきい値Ｔｈｒｅｓｘ，ｈｉｇｈの値を変更して、ＷＴＲＵが不適切なＣＳＧセルの周波数を選択することを防ぐステップをさらに含むことを特徴とする実施形態４６から５２のいずれか一項に記載の方法。
【００９３】
５４．  別の周波数のセルを再選択するようＷＴＲＵに促すために、不適切なＣＳＧセルによって使用される周波数のしきい値Ｔｈｒｅｓｘ，ｌｏｗの値を変更するステップをさらに含むことを特徴とする実施形態４６から５３のいずれか一項に記載の方法。
【００９４】
５５．  ＣＳＧ不適切なセルの優先順位番号よりも低い優先順位番号Ｎ値を割り当てるステップであって、Ｎは１と等しいかまたはそれよりも大きい整数であるステップをさらに含むことを特徴とする実施形態４６から５４のいずれか一項に記載の方法。
【００９５】
５６．  最も強い信号強度を持つ不適切なＣＳＧセルに最も低い優先順位番号を割り当てるステップをさらに含むことを特徴とする実施形態４６から５５のいずれか一項に記載の方法。
【００９６】
５７．  優先順位の周波数がネットワークによって割り当てられていない場合、暗黙の優先順位を割り当てるステップをさらに含むことを特徴とする実施形態４６から５６のいずれか一項に記載の方法。
【００９７】
５８．  暗黙の優先順位割り当ては、ＣＳＧセルによって使用された周波数に割り当てられた優先順位よりも１つ上のレベルであるように構成されることを特徴とする実施形態４６から５７のいずれか一項に記載の方法。
【００９８】
５９．  不適切なＣＳＧセルの周波数がしきい値を超える場合、ＷＴＲＵは他の周波数に測定を行うことを特徴とする実施形態４６から５８のいずれか一項に記載の方法。
【００９９】
６０．  ＷＴＲＵは、周波数内検索を開始するようＣＳＧセルによって通知されることを特徴とする実施形態４６から５９のいずれか一項に記載の方法。
【０１００】
６１．  ＣＳＧセルは、ＷＴＲＵが周波数を変更するまで伝送電力を増大させることにより周波数内検索を開始するようＷＴＲＵに通知することを特徴とする実施形態４６から６０のいずれか一項に記載の方法。
【０１０１】
６２．  ＣＳＧセルは、周波数を変更するようＷＴＲＵに決定させるため、周波数内再選択指標（ＩＦＲＩ）ビットを「不許可」に設定することを特徴とする実施形態４６から６１のいずれか一項に記載の方法。
【０１０２】
６３．  限定加入者グループセル（ＣＳＧ）により無線送信／受信ユニット（ＷＴＲＵ）に対し引き起こされる干渉を回避するための方法であって、
最も高くランク付けされたセルが不適切なＣＳＧセルであるかどうかを検出するステップを含むことを特徴とする方法。
【０１０３】
６４．  別の周波数で適切なセルを見つけるために周波数内測定を開始するステップをさらに含むことを特徴とする実施形態６３に記載の方法。
【０１０４】
６５．  タイマーＴｆを開始するステップをさらに含むことを特徴とする実施形態６３または６４に記載の方法。
【０１０５】
６６．  別の周波数で適切なセルが見つけられた場合、不適切なＣＳＧセルの周波数を閉じるステップをさらに含むことを特徴とする実施形態６３から６５のいずれか一項に記載の方法。
【０１０６】
６７．  タイマーＴｆを停止させるステップをさらに含むことを特徴とする実施形態６３から６６のいずれか一項に記載の方法。
【０１０７】
６８．  適切なセルにキャンプするステップをさらに含むことを特徴とする実施形態６３から６７のいずれか一項に記載の方法。
【０１０８】
６９．  タイマーＴｂを開始するステップをさらに含むことを特徴とする実施形態６３から６８のいずれか一項に記載の方法。
【０１０９】
７０．  タイマーＴｂが実行している間、閉じられた周波数に周波数内測定を実行しないＷＴＲＵをさらに備えることを特徴とする実施形態６３から６９のいずれか一項に記載の方法。
【０１１０】
７１．  タイマーＴｂが満了すると周波数の閉じを外すステップをさらに含むことを特徴とする実施形態６３から７０のいずれか一項に記載の方法。
【０１１１】
７２．  限定加入者グループセル（ＣＳＧ）により無線送信／受信ユニット（ＷＴＲＵ）に対し引き起こされる干渉を回避するための方法であって、
最も高くランク付けされたセルが不適切なＣＳＧセルであるかどうかを検出するステップを含むことを特徴とする方法。
【０１１２】
７３．  不適切なＣＳＧセルの周波数を閉じるステップをさらに含むことを特徴とする実施形態７２に記載の方法。
【０１１３】
７４．  タイマーＴｎｆを開始するステップをさらに含むことを特徴とする実施形態７２または７３に記載の方法。
【０１１４】
７５．  タイマーＴｎｆが満了して、別の周波数で適切なセルが見つからない場合、周波数の閉じを外すステップをさらに含むことを特徴とする実施形態７２から７４のいずれか一項に記載の方法。
【０１１５】
７６．  無線送信／受信ユニット（ＷＴＲＵ）であって、
限定加入者グループ（ＣＳＧ）隣接セルに関する情報を含む信号伝達を受信するように構成された受信機を備えることを特徴とするＷＴＲＵ。
【０１１６】
７７．  隣接ＣＳＧセルに関する収集された情報を含むメッセージを格納するように構成されたメモリデバイスをさらに備えることを特徴とする実施形態７６に記載のＷＴＲＵ。
【０１１７】
７８．  受信機およびメモリデバイスに電気的に結合されたプロセッサであって、最も高くランク付けされたセルが不適切なＣＳＧセルであるかどうか決定し、不適切なセルの優先順位周波数をオーバーライドするように構成されたプロセッサをさらに備えることを特徴とする実施形態７４から７７のいずれか一項に記載のＷＴＲＵ。
【０１１８】
特徴および要素が特定の組合せで上記に説明されたが、各々の特徴または要素は、他の特徴および要素を用いることなく単独で使用するか、または他の特徴および要素の有無にかかわらずさまざまな組合せで使用することができる。本明細書において提供される方法または流れ図は、汎用コンピュータまたはプロセッサにより実行するためにコンピュータ可読記憶媒体に組み込まれたコンピュータプログラム、ソフトウェア、またはファームウェアにおいて実施することができる。コンピュータ可読記憶媒体の例は、読み取り専用メモリ（ＲＯＭ）、ランダムアクセスメモリ（ＲＡＭ）、レジスタ、キャッシュメモリ、半導体メモリデバイス、内蔵ハードディスクおよび取り外し可能ディスクなどの磁気媒体、磁気光学媒体、ＣＤ−ＲＯＭディスクおよびデジタル多目的ディスク（ＤＶＤ）などの光媒体を含む。
【０１１９】
適切なプロセッサは、例として、汎用プロセッサ、特殊用途プロセッサ、標準的なプロセッサ、デジタル信号プロセッサ（ＤＳＰ）、複数のマイクロプロセッサ、ＤＳＰコアと関連する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、任意のタイプの集積回路（ＩＣ）、および／または状態機械を含む。
【０１２０】
ソフトウェアと関連するプロセッサは、無線送受信ユニット（ＷＴＲＵ）、ユーザ装置（ＩＥ）、端末、基地局、無線ネットワークコントローラ（ＲＮＣ）、または任意のホストコンピュータにおいて使用する無線周波数送受信機を実施するために使用することができる。ＷＴＲＵは、カメラ、ビデオカメラモジュール、テレビ電話、スピーカーホン、振動装置、スピーカー、マイクロホン、テレビ送受信機、ハンドフリーヘッドセット、キーボード、ブルートゥース（登録商標）モジュール、周波数変換（ＦＭ）無線装置、液晶ディスプレイ（ＬＣＤ）表示装置、有機発光ダイオード（ＯＬＥＤ）表示装置、デジタル音楽プレイヤー、メディアプレイヤー、テレビゲームプレイヤーモジュール、インターネットブラウザ、および／または任意の無線ローカルエリアネットワーク（ＷＬＡＮ）または超広帯域（ＵＷＢ）モジュールなどのハードウェアおよび／またはソフトウェアに実装されたモジュールと共に使用することができる。
【図１】
0005269249.tif 000002
【図２】
0005269249.tif 000003
【図３】
0005269249.tif 000004
【図４】
0005269249.tif 000005
【図５】
0005269249.tif 000006
【図６】
0005269249.tif 000007